(57)【特許請求の範囲】
【請求項１】
リクエストを送信する制御装置と、該制御装置にバス接続される複数の被制御装置からなる電子機器であって、前記被制御装置が、
前記制御装置からの前記リクエストを受信するリクエスト受信部と、リプライ制御フラグを記憶する制御フラグ記憶部と、前記リクエストがブロードキャストリクエストであるかユニキャストリクエストであるか、および前記リプライ制御フラグの値が正であるか否であるかを判断するリプライ制御部と、前記リクエストに基づく処理を行って当該処理に基づくリプライデータを生成するデータ処理部と、前記リプライデータが生成された場合に前記リプライデータを前記制御装置に返信するリプライ送信部とを有すると共に、
前記データ処理部が、前記リクエストがユニキャストリクエストである場合、および前記リクエストがブロードキャストリクエストでありかつ前記リプライ制御フラグの値が正である場合には前記リクエストに基づく処理を行ってリプライデータを生成し、前記リクエストがブロードキャストリクエストでありかつ前記リプライ制御フラグの値が否である場合には前記リプライデータを生成せずに前記リクエストに基づく処理のみを行う
ことを特徴とする電子機器。
【請求項２】
前記データ処理部が、外部からの指示に応じて前記リプライ制御フラグの値を変更する機能を有することを特徴とする、請求項１に記載の電子機器。
【請求項３】
前記データ処理部が、前記制御装置からのリクエストに応じて、前記リプライ制御フラグの値を変更することを特徴とする、請求項２に記載の電子機器。
【請求項４】
前記データ処理部が、前記制御装置からのユニキャストリクエストに応じて、前記リプライ制御フラグの値を変更することを特徴とする、請求項３に記載の電子機器。
【請求項５】
前記データ処理部が、電圧源もしくは接地に接続可能な制御端子を有し、前記制御端子が前記電圧源もしくは前記接地のうち一方に接続されている場合は前記リプライ制御フラグの値の変更を停止する機能を有することを特徴とする、請求項２に記載の電子機器。
【請求項６】
前記制御装置からの制御信号によって、前記制御端子を電圧源もしくは接地のいずれに接続するかを決定するリプライフラグ制御部を設けると共に、これを前記制御端子の各々に接続したことを特徴とする、請求項５に記載の電子機器。
【請求項７】
リクエストを送信する制御装置と、リプライ制御フラグを有しかつ前記制御装置にバス接続される複数の被制御装置からなる電子機器をブロードキャスト制御する方法であって、
前記制御装置が前記被制御装置に前記リクエストを送信するリクエスト送信工程と、
前記被制御装置が、前記リクエストがブロードキャストリクエストであるかユニキャストリクエストであるかを判断する第１の判断工程と、
前記被制御装置が、前記リプライ制御フラグの値が正であるか否であるかを判断する第２の判断工程と、
前記被制御装置が、前記リクエストがユニキャストリクエストである場合、および前記リクエストがブロードキャストリクエストでありかつ前記リプライ制御フラグの値が正である場合には前記リクエストに基づく処理を行って当該処理に基づくリプライデータを生成し、前記リクエストがブロードキャストリクエストでありかつ前記リプライ制御フラグの値が否である場合には前記リプライデータを生成せずに前記リクエストに基づく処理のみを行うリプライデータ処理工程と、
前記被制御装置が、前記リプライデータが生成された場合に前記リプライデータを前記制御装置に返信するリプライ送信工程と
を備えることを特徴とする電子機器のブロードキャスト制御方法。
【請求項８】
前記リプライデータ処理工程が、前記制御装置からのリクエストによって前記リプライ制御フラグの値を変更する処理を含むことを特徴とする、請求項７に記載の電子機器のブロードキャスト制御方法。
【請求項９】
前記リプライデータ処理工程が、前記被制御装置が予め備える制御端子が電圧源および接地のいずれに接続されているかを判断し、前記制御端子が前記接地に接続されている場合は前記リプライ制御フラグの値を変更しない処理を含むことを特徴とする、請求項８に記載の電子機器のブロードキャスト制御方法。
【請求項１０】
前記制御装置が、前記制御端子を電圧源もしくは接地のいずれに接続するかを決定する制御信号を発するリプライフラグ制御工程を備えることを特徴とする、請求項９に記載の電子機器のブロードキャスト制御方法。
【請求項１１】
リクエストを送信する制御装置と、リプライ制御フラグを有しかつ前記制御装置にバス接続される複数の被制御装置からなる電子機器にあって、前記被制御装置を制御するコンピュータに、
前記制御装置から前記リクエストを受信するリクエスト送信処理と、
前記リクエストがブロードキャストリクエストであるかユニキャストリクエストであるかを判断する第１の判断処理と、
前記リプライ制御フラグの値が正であるか否であるかを判断する第２の判断処理と、
前記リクエストがユニキャストリクエストである場合、および前記リクエストがブロードキャストリクエストでありかつ前記リプライ制御フラグの値が正である場合には前記リクエストに基づく処理を行って当該処理に基づくリプライデータを生成し、前記リクエストがブロードキャストリクエストでありかつ前記リプライ制御フラグの値が否である場合には前記リプライデータを生成せずに前記リクエストに基づく処理のみを行うリプライデータ処理と、
前記リプライデータが生成された場合に前記リプライデータを前記制御装置に返信するリプライ送信処理と
を実行させることを特徴とする電子機器のブロードキャスト制御プログラム。
【請求項１２】
前記リプライデータ処理が、前記制御装置からのリクエストによって前記リプライ制御フラグの値を変更する処理を含むことを特徴とする、請求項１１に記載の電子機器のブロードキャスト制御プログラム。
【発明の詳細な説明】
【技術分野】
【０００１】
本発明は、制御装置と複数の被制御装置がバス接続されてなる電子機器に関し、特に該電子機器におけるバスファイトの防止に関する。
【背景技術】
【０００２】
制御装置と、マルチプロセッサなど１枚のカード上に実装される多数の被制御装置（ＬＳＩ）とからなる電子機器においては、制御装置との被制御装置の間のインターフェースの本数が被制御装置数に比例して増加することのないよう、カード上の被制御装置の制御信号をバス接続することが多い。
【０００３】
図５は、従来技術に係る電子機器４１０の構成を示すブロック図である。電子機器４１０は、制御装置４１１とカード４２０からなり、カード４２０上にはＮ個の被制御装置４２１ａ、４２１ｂ…が実装されている。以後、被制御装置４２１ａ、４２１ｂ…を総称して、単に被制御装置４２１という。なお、Ｎは自然数である。
【０００４】
制御装置４１１と被制御装置４２１との間は、リクエスト有り信号、リクエストデータ信号およびリプライデータ信号という３種類の信号を伝えるバス４１２で接続される。図５では、リクエスト有り信号は２点鎖線、リクエストデータ信号は実線、リプライデータ信号は二重線で示される。
【０００５】
被制御装置４２１は、制御装置４１１からのリクエスト有り信号とリクエストデータ信号を受信するリクエスト受信部４２３と、リクエストデータ信号に基づく処理を行ってリプライデータを生成するデータ処理部４２６と、制御装置４１１にリプライデータを返信するリプライ送信部４２２とからなる。
【０００６】
制御装置４１１が被制御装置４２１に対してリクエスト有り信号を送信すると、リクエスト受信部４２３はリクエスト有り信号に反応し、自らをリクエストデータ受信可能状態にする。
【０００７】
制御装置４１１がリクエスト有り信号に続いてリクエストデータを送信すると、データ処理部４２６はリクエスト受信部４２３が受信したリクエストデータに対してデータ処理を行ってリプライデータを生成し、リプライ送信部４２２が該リプライデータを制御装置４１１に返信して、処理が完了する。
【０００８】
ここで、制御装置４１１が被制御装置４２１に対して発信するリクエストには、被制御装置４２１のうちのいずれかにだけ送られるユニキャストリクエストと、すべての被制御装置４２１に送られるブロードキャストリクエストとがあるが、被制御装置４２１はそのいずれの場合においてもリプライデータを制御装置４１１に返信する。
【０００９】
なお、これに関する技術文献として、たとえば次の特許文献がある。特許文献１には、ネットワークに接続された印刷装置によって構成される印刷システムで、設定スイッチによってブロードキャスト通信を無視するか否かを設定できるという技術が開示されている。特許文献２には、バスに接続されている特定の１本の出力がアクティブである時には他の出力をアクティブにしないようにして、バスファイトを回避するという技術が開示されている。特許文献３には、接続されたプロセッサのすべての構成要素からのリクエストを受け付けるデータ転送スイッチを有するデータストリーマが開示されている。
【００１０】
【特許文献１】特開２００５−１５３１９９号公報
【特許文献２】特開平０５−２０４８４３号公報
【特許文献３】特表２００２−５２７８２５号公報
【発明の開示】
【発明が解決しようとする課題】
【００１１】
以上で説明した従来技術に係る電子機器４１０で、制御装置４１１がブロードキャストリクエストを発信した場合、全ての被制御装置４２１がほぼ同時にリプライデータを制御装置４１１に返信することになる。従って、特にバス接続によって接続される被制御装置４２１の台数が増大した場合、バス４１２に複数の信号が同時に乗ることになるので、バスラインが不定状態になり、また素子が破壊される場合もある。一般に、この状態をバスファイトという。
【００１２】
一方、前述の特許文献１の機器は、ブロードキャスト通信に対する反応を設定できる設定スイッチを備え、該設定スイッチがオフとされている装置はブロードキャスト通信を無視するので、バスファイトの発生は防止できる。しかしながら、ブロードキャスト通信そのものを無視するように設定してしまうと、（たとえば動作モードの変更などのような）制御装置からの重要な通信を無視してしまうことにもなるので、該電子機器の動作そのものにまで悪影響を及ぼす恐れがある。特許文献２〜３にも、この問題を解決する構成は記載されていない。従って、電子機器４１０に特許文献１〜３の技術を組み合わせても、この問題を解決することはできない。
【００１３】
本発明の目的は、多数の被制御装置をバス接続した構成の電子機器で、制御指令に対応できないことによる動作への悪影響を防止しつつ、ブロードキャストリクエストに対する返信におけるバスファイトの発生を防止することのできる電子機器と、電子機器のブロードキャスト制御方法およびプログラムを提供することにある。
【課題を解決するための手段】
【００１４】
上記目的を達成するため、本発明に係る電子機器は、リクエストを送信する制御装置と、該制御装置にバス接続される複数の被制御装置からなる電子機器であって、被制御装置が、制御装置からのリクエストを受信するリクエスト受信部と、リプライ制御フラグを記憶する制御フラグ記憶部と、リクエストがブロードキャストリクエストであるかユニキャストリクエストであるか、およびリプライ制御フラグの値が正であるか否であるかを判断するリプライ制御部と、リクエストに基づく処理を行って当該処理に基づくリプライデータを生成するデータ処理部と、リプライデータが生成された場合にリプライデータを制御装置に返信するリプライ送信部とを有すると共に、データ処理部が、リクエストがユニキャストリクエストである場合、およびリクエストがブロードキャストリクエストでありかつリプライ制御フラグの値が正である場合にはリクエストに基づく処理を行ってリプライデータを生成し、リクエストがブロードキャストリクエストでありかつリプライ制御フラグの値が否である場合にはリプライデータを生成せずにリクエストに基づく処理のみを行うことを特徴とする。
【００１５】
上記目的を達成するため、本発明に係る電子機器のブロードキャスト制御方法は、リクエストを送信する制御装置と、リプライ制御フラグを有しかつ制御装置にバス接続される複数の被制御装置からなる電子機器をブロードキャスト制御する方法であって、制御装置が被制御装置にリクエストを送信するリクエスト送信工程と、被制御装置が、リクエストがブロードキャストリクエストであるかユニキャストリクエストであるかを判断する第１の判断工程と、被制御装置が、リプライ制御フラグの値が正であるか否であるかを判断する第２の判断工程と、被制御装置が、リクエストがユニキャストリクエストである場合、およびリクエストがブロードキャストリクエストでありかつリプライ制御フラグの値が正である場合にはリクエストに基づく処理を行って当該処理に基づくリプライデータを生成し、リクエストがブロードキャストリクエストでありかつリプライ制御フラグの値が否である場合にはリプライデータを生成せずにリクエストに基づく処理のみを行うリプライデータ処理工程と、被制御装置が、リプライデータが生成された場合にリプライデータを制御装置に返信するリプライ送信工程とを備えることを特徴とする。
【００１６】
上記目的を達成するため、本発明に係る電子機器のブロードキャスト制御プログラムは、リクエストを送信する制御装置と、リプライ制御フラグを有しかつ制御装置にバス接続される複数の被制御装置からなる電子機器にあって、被制御装置を制御するコンピュータに、制御装置からリクエストを受信するリクエスト送信処理と、リクエストがブロードキャストリクエストであるかユニキャストリクエストであるかを判断する第１の判断処理と、リプライ制御フラグの値が正であるか否であるかを判断する第２の判断処理と、リクエストがユニキャストリクエストである場合、およびリクエストがブロードキャストリクエストでありかつリプライ制御フラグの値が正である場合にはリクエストに基づく処理を行って当該処理に基づくリプライデータを生成し、リクエストがブロードキャストリクエストでありかつリプライ制御フラグの値が否である場合にはリプライデータを生成せずにリクエストに基づく処理のみを行うリプライデータ処理と、リプライデータが生成された場合にリプライデータを制御装置に返信するリプライ送信処理とを実行させることを特徴とする。
【発明の効果】
【００１７】
本発明は、リクエストに基づく処理を必ず実行しつつ、リプライ制御フラグの値に応じてリプライデータの生成を制限できるように構成したので、ブロードキャストリクエストに対してもすべての被制御装置がリプライデータを返信しないようにすることができる。これによって、多数の被制御装置をバス接続した構成の電子機器で、制御指令に対応できないことによる動作への悪影響を防止しつつ、ブロードキャストリクエストに対する返信におけるバスファイトの発生を防止することのできるという、従来にない優れた電子機器と、電子機器のブロードキャスト制御方法およびプログラムを提供することができる。
【発明を実施するための最良の形態】
【００１８】
［第１の実施の形態］
図１は、本発明の第１の実施の形態に係る電子機器１０の構成を示すブロック図である。電子機器１０は、制御装置１１とカード２０からなり、カード２０上にはＮ個の被制御装置２１ａ、２１ｂ…が実装されている。以後、被制御装置２１ａ、２１ｂ…を総称して、単に被制御装置２１という。なお、Ｎは自然数である。
【００１９】
制御装置１１と被制御装置２１との間は、リクエスト有り信号、リクエストデータ信号およびリプライデータ信号という３種類の信号を伝えるバス１２で接続される。図１では、リクエスト有り信号は２点鎖線矢印、リクエストデータ信号は実線矢印、リプライデータ信号は二重線矢印で示される。なお、リクエスト有り信号とリクエストデータ信号とを合わせて、単にリクエストという。
【００２０】
被制御装置２１は、制御装置１１からのリクエスト有り信号とリクエストデータ信号を受信するリクエスト受信部２３と、リプライ制御フラグ２４を記憶する制御フラグ記憶部２７と、リプライ制御フラグ２４の値を参照して判断を行うリプライ制御部２５と、リクエストデータ信号に基づく処理を行ってリプライデータを生成するデータ処理部２６と、制御装置１１にリプライデータを返信するリプライ送信部２２とからなる。
【００２１】
データ処理部２６は、リプライ制御フラグ２４に関係なく、リクエストデータ信号に基づく処理を行う。ただし、データ処理部２６はリプライ制御フラグ２４の値を参照し、リプライ制御フラグ２４がＹｅｓである場合には該処理に基づくリプライデータを生成する。リプライ制御フラグ２４がＮｏである場合、リプライデータを生成しない。
【００２２】
リプライ送信部２２は、リプライデータが生成されれば該リプライデータを制御装置１１に返信する。つまり、リプライ制御フラグ２４がＹｅｓである場合にはリプライ送信部２２は制御装置１１にリプライデータを返信し、リプライ制御フラグ２４がＮｏである場合にはリプライ送信部２２は制御装置１１に何も返信しないということになる。
【００２３】
またデータ処理部２６は、リプライ制御フラグ２４の値を変更することができる。制御装置１１は、リプライ制御フラグ２４の値を変更するリクエストを被制御装置２１に送信することができる。この場合は、データ処理部２６が該リクエストに基づいてリプライ制御フラグ２４の値を変更する処理を実行する。
【００２４】
ただし、リプライ制御フラグ２４の値を変更するリクエストは必ずユニキャストリクエストで送信されるものであり、ブロードキャストリクエストでそのようなリクエストを送信することはできないものとする。これは、一度にすべての被制御装置２１のリプライ制御フラグ２４がＹｅｓとされてリプライデータの返信が可能とされるようなことがあると、バスファイトの発生を防止するという本発明の意図が損なわれるからである。
【００２５】
図２は、図１で示した被制御装置２１が、制御装置１１から発せられたリクエストに反応して行う処理を表すフローチャートである。制御装置１１は、被制御装置２１に対してリクエスト有り信号を送信する。被制御装置２１のリクエスト受信部２３は、リクエスト有り信号に反応して、自らをリクエストデータ受信可能状態にする（ステップＳ１０１）。
【００２６】
リクエスト有り信号の後、制御装置１１は、被制御装置２１に対してリクエストデータ信号を送信する。リクエストデータ信号を受けた被制御装置２１のリプライ制御部２５は、該リクエストデータ信号の内容から、該リクエストがブロードキャストリクエストであるかユニキャストリクエストであるかを判断する（ステップＳ１０２）。ユニキャストリクエストであれば後述のステップＳ１０３に、ブロードキャストリクエストであれば後述のステップＳ１０５にそれぞれ進む。
【００２７】
ステップＳ１０２で該リクエストがユニキャストリクエストであると判断されてステップＳ１０３に進んだ場合、リプライ制御フラグ２４の設定にかかわらず、データ処理部２６はリクエストデータ信号に基づく処理を行い、リプライデータを生成する（ステップＳ１０３）。そしてリプライ送信部２２は、生成されたリプライデータを制御装置１１に返信し（ステップＳ１０４）、処理を終了する。
【００２８】
ここで、このユニキャストリクエストが、自らのリプライ制御フラグ２４をＹｅｓとすることを制御装置１１が要求するものである場合もある。この場合は、それに従ってデータ処理部２６が、ステップＳ１０３でリプライ制御フラグ２４の値を変更する。以後、複数ある被制御装置２１の中で、被制御装置２１ａのみがリプライ制御フラグ２４をＹｅｓとされており、他の被制御装置２１ｂ〜…のリプライ制御フラグ２４はＮｏであるものとする。
【００２９】
ステップＳ１０２で該リクエストがブロードキャストリクエストであると判断されてステップＳ１０５に進んだ場合、リプライ制御部２５はリプライ制御フラグ２４の値がＹｅｓであるかＮｏであるかを判断する（ステップＳ１０５）。
【００３０】
被制御装置２１ａはリプライ制御フラグ２４がＹｅｓであるので、データ処理部２６はリクエストデータ信号に基づく処理を行い、リプライデータを生成する（ステップＳ１０６）。そしてリプライ送信部２２は、生成されたリプライデータを制御装置１１に返信し（ステップＳ１０７）、処理を終了する。
【００３１】
一方、被制御装置２１ｂ〜…はリプライ制御フラグ２４がＮｏであるので、データ処理部２６はリクエストデータ信号に基づく処理を行う（ステップＳ１０８）が、そこで処理を終了する。データ処理部２６はリプライデータの生成をしないので、リプライ送信部２２は制御装置１１へ何も返信しない。
【００３２】
これによって、ブロードキャストリクエストに対するリプライデータが、被制御装置２１ａからのみ返され、他の被制御装置２１ｂ〜…からは返されないことになるので、バスファイトが発生することはない。
【００３３】
なお、被制御装置２１ｂ〜…においてもリクエストデータ信号に基づく処理は行われているので、該処理が行われないことによる悪影響の発生も抑制できる。制御装置１１は、それらの被制御装置２１ｂ〜…に対して適宜ユニキャストリクエストを送信することによって、該リクエストデータ信号に基づく処理が正常に行われたか否かを確認することができる。
【００３４】
また、本実施の形態では、制御装置１１からのユニキャストリクエストによって、各々の被制御装置２１のリプライ制御フラグ２４の値を変更できるようにしている。そのため、制御装置１１は各々の被制御装置２１におけるリプライ制御フラグ２４の値を一元管理するテーブルなどを有するようにすると望ましい。
【００３５】
言うまでもないことだが、以上で説明した制御装置１１および被制御装置２１において行われる処理は、制御装置１１および被制御装置２１の各々を制御するコンピュータ装置によって実行されるプログラムとして構成することももちろん可能である。
【００３６】
［第２の実施の形態］
図３は、本発明の第２の実施の形態に係る電子機器２１０の構成を示すブロック図である。電子機器２１０は、第１の実施の形態に係る電子機器１０と同一の要素を多く含んでいるので、同一の要素には同一の参照番号を付して説明を省略する。
【００３７】
電子機器２１０は、制御装置１１とカード２２０からなり、カード２２０上にはＮ個の被制御装置２２１ａ、２２１ｂ…が実装されている。以後、被制御装置２２１ａ、２２１ｂ…を総称して、単に被制御装置２２１という。
【００３８】
被制御装置２２１は、第１の実施の形態の被制御装置２１に、さらに制御ピン２２８と抵抗２２９が付加される。制御ピン２２８は抵抗２２９を通じて、データ処理部２６を電源ＶＣＣもしくは接地のいずれか一方に接続する。
【００３９】
制御ピン２２８が電源ＶＣＣに接続された被制御装置２２１のリプライ制御フラグ２４は、データ処理部２６によってＹｅｓもしくはＮｏに値を変更することができる（もしくは、リプライ制御フラグ２４の値はＹｅｓとなり、データ処理部２６によって変更することができないようにしてもよい）。制御ピン２２８が接地に接続された被制御装置２２１のリプライ制御フラグ２４の値はＮｏとなり、データ処理部２６によって変更することはできない。
【００４０】
このようにすれば、電子機器２１０の組み立て時に、制御ピン２２８の接続によって、各々の被制御装置２２１においてブロードキャストリクエストに対するリプライを行うか否かを決定することができる。なお、ここでは制御ピン２２８が接地に接続された場合にリプライ制御フラグ２４の値を変更不可能としたが、逆に電源ＶＣＣに接続された場合にリプライ制御フラグ２４の値を変更不可能とするようにしてもよい。
【００４１】
［第３の実施の形態］
図４は、本発明の第３の実施の形態に係る電子機器３１０の構成を示すブロック図である。電子機器３１０は、第２の実施の形態に係る電子機器２１０と同一の要素を多く含んでいるので、同一の要素には同一の参照番号を付して説明を省略する。
【００４２】
電子機器３１０は、制御装置１１とカード３２０からなり、カード３２０上にはＮ個の（第２の実施の形態と同一の）被制御装置２２１が実装されている。ただし、各々の被制御装置２２１の制御ピン２２８は、リプライフラグ制御装置３１３に接続される。
【００４３】
リプライフラグ制御装置３１３は、制御装置１１からの制御信号によって、各々の制御ピン２２８を電源ＶＣＣと接地のいずれに接続するかを切り替えることができ、これによって各々の被制御装置２２１においてブロードキャストリクエストに対するリプライを行うか否かを制御装置１１において決定することができる。
【００４４】
これまで本発明について図面に示した特定の実施の形態をもって説明してきたが、本発明は図面に示した実施の形態に限定されるものではなく、本発明の効果を奏する限り、これまで知られたいかなる構成であっても採用することができることは言うまでもないことである。
【産業上の利用可能性】
【００４５】
制御装置と複数の被制御装置がバス接続されてなる電子機器、たとえばマルチプロセッサシステム、ブレードサーバシステムなどにおいて利用可能である。
【図面の簡単な説明】
【００４６】
【図１】本発明の第１の実施の形態に係る電子機器の構成を示すブロック図である。
【図２】図１で示した被制御装置が、制御装置から発せられたリクエストに反応して行う処理を表すフローチャートである。
【図３】本発明の第２の実施の形態に係る電子機器の構成を示すブロック図である。
【図４】本発明の第３の実施の形態に係る電子機器の構成を示すブロック図である。
【図５】従来技術に係る電子機器の構成を示すブロック図である。
【符号の説明】
【００４７】
１０、２１０、３１０  電子機器
１１  制御装置
１２  バス
２０、２２０、３２０  カード
２１、２１ａ、２１ｂ、２２１、２２１ａ、２２１ｂ  被制御装置
２２  リプライ送信部
２３  リクエスト受信部
２４  リプライ制御フラグ
２５  リプライ制御部
２６  データ処理部
２７  制御フラグ記憶部
２２８  制御ピン
２２９  抵抗
３１３  リプライフラグ制御装置
【図１】
0004934862.tif 000002
【図２】
0004934862.tif 000003
【図３】
0004934862.tif 000004
【図４】
0004934862.tif 000005
【図５】
0004934862.tif 000006